(57)【要約】      （修正有）【課題】顎関節炎の発生を回避し、リラックスして休み効果がある頭頚部固定枕を提供する。【解決手段】頭頚部固定枕は２つの枕本体１を含み、２つの枕本体１は、それぞれ、第１端部１１と第２端部１２に分けられている。２つの枕本体１のうち、１つの対向面１３の間の位置に頚部支持ベルト１４が接続されている。２つの頭部支持ブロック２が２つの枕本体１の２つの第１端部１１に接続され、２つの頭部支持ブロック２は、それぞれ２つの対向面１３から下に向かって徐々に延びている。２つの枕本体１と２つの頭部支持ブロック２を使用することで、ユーザーの頭を完全に覆うことができ、頬の両側に当接して覆うことがない。【選択図】図１
0003225515.tif 000002
【実用新案登録請求の範囲】
【請求項１】
頭頚部固定枕であり、２つの枕本体と、２つの頭部支持ブロックと、滑り止め層とを含み、
前記２つの枕本体は、それぞれ対向する、第１端部と第２端部に分けられ、前記２つの枕本体の１つの対向する面の間の位置に頚部支持ベルトが接続され、
前記２つの頭部支持ブロックは、前記２つの第１端部に接続され、前記２つの頭部支持ブロックはそれぞれ前記２つの対向面から下に向かって徐々に延びて、
前記滑り止め層は前記２つの第１端部と前記２つの頭部支持ブロックの間に接続され、前記滑り止め層は、滑り係数の高い材料でできており、前記滑り止め層の長さは、前記頚部支持ベルトよりも長いことを特徴とする、頭頚部固定枕。
【請求項２】
前記２つの枕本体の内側は、発泡体、空気、綿またはシリコーン充填物で満たされていることを特徴とする、頭頚部固定枕。
【請求項３】
前記２つの枕本体は、それぞれ長い円弧形ブロックまたは長い直線ブロックを呈して設置されることを特徴とする、請求項１に記載の頭頚部固定枕。
【請求項４】
前記２つの頭部支持ブロックは、それぞれ円弧凹形ブロックを呈して設置されることを特徴とする、請求項１に記載の頭頚部固定枕。
【請求項５】
前記２つの頭部支持ブロックは、前記２つの枕本体を一体成形して直接延長することで作成されることを特徴とする、請求項１に記載の頭頚部固定枕。
【請求項６】
前記２つの頭部支持ブロックの内側は、発泡体、空気、綿またはシリコーン充填物で満たされていることを特徴とする、頭頚部固定枕。
【請求項７】
前記２つの第２端部の間に、留め具、ベルト、または、面ファスナーで接続されていることを特徴とする、請求項１に記載の頭頚部固定枕。
【請求項８】
前記留め具は雄留め具と雌留め具を含み、前記雄留め具は前記雌留め具と互いに結び付けられていることを特徴とする、請求項７に記載の頭頚部固定枕。
【考案の詳細な説明】
【技術分野】
【０００１】
本考案は、顎関節炎の発生を回避するために、ユーザーの頬の両側に当接しない首枕構造に関する。
【背景技術】
【０００２】
現在、人々は、職場で働いたり、コンピューターを使用したり、テレビを見たり、交通機関に乗ったりすると、特定の姿勢を長時間維持する必要があるため、首や肩の筋肉を緊張させ、痛みを感じたり、脳の血液循環と酸素供給をひどく妨害したりすることが多いことにより、注意力を集中することができなくなる。そのため、座るときは首枕を使用する必要があり、首枕は主にＵ字型で、主に人体の首に置かれて首を支える。
【０００３】
一般的な首枕構造、例えば、２０１７年１１月２１日に台湾で公告された実用新案登録番号Ｍ５５１８９１「収納可能な首枕」は以下の構造が開示されている。それはＵ字型の支持枕本体で構成され、支持枕本体は圧縮後に元の状態に復元できる。開口部とは異なる支持枕本体の背面にバンドルリングスリーブが縫い付けられ、バンドルリングスリーブの自由端に中空のリングループが形成され、リングループ内にリングループの開口部を引っ込めるための引き紐が貫通されており、このようにして、支持枕本体の背面のバンドルリングスリーブの開口部を、支持枕本体の開口部側に逆に覆うことができ、支持枕本体全体をバンドルリングスリーブで覆うことができる。次にリング、ループ内の引き紐を締め、これにより、収納および持ち運びの際に支持枕本体全体の体積を効果的に減らすことができ、ユーザーが持ち運びおよび収納するのに便利である。
【０００４】
前記従来技術のＵ字型支持枕本体は、ユーザーの首と頬を覆い、したがって、不適切な圧力によって首と頬の顎関節(temporomandibular joint)が圧迫され、顎関節炎を引き起こしやすい。
顎関節は、体の他の関節とは異なる。これは、頭蓋骨と下顎骨をつなぐ特殊なスライド式関節であり、上端は、側頭骨(temporal bone)に引っ込んだ関節ソケットで、下端は下顎骨(mandible)から隆起した骨の足首（condyle)、中央に軟骨ディスク（半月板、meniscus)で構成されている。顎関節症は、顎関節症候群、筋肉顔面痛症候群とも呼ばれる、略称の顎関節炎である。患者の意識的な聴覚障害、耳の痛み、耳の閉塞、耳鳴り、口を開けたときの顎関節のひび割れ音、頭痛により、口が開けられないまたは頭のこめかみ、頬の灼熱感、副鼻腔、首の痛みなどの症状が含まれる。したがって、枕の適切な選択により、顎関節炎の発生を回避することができます。
【０００５】
また、２０１２年７月１日に登録されている台湾実用新案登録番号Ｍ４３２３６６「バランス枕」は以下の記載が開示されている。
人体の頭頚部は非常に微細な部位であり、病症が多い。それらのほとんどは不正確な姿勢が原因であり、最も悪い影響は睡眠姿勢によるのである。首によって引き起こされる病気は、血液の流れと神経の伝導に直接影響し、その結果、頭の機能を完全にすることができず、時間が経つにつれて、血液の供給が不十分になり、脳の働きが鈍くなり、老化し、病気になり、行動が不十分になり、心身の健康に大きな影響を与える。
前記先行技術には、波状の上面を備えた本体が設けられており、上面は、横方向に延びる第１隆起部と第２隆起部によってそれぞれ区別される。第１隆起部と第２隆起部との間に凹部が形成されている。第１隆起部は第２隆起部より高く、第１隆起部と凹部との間には第１内側溝が設けられ、第２隆起部と凹部との間には第２内側溝が設けられる。第１および第２内側溝の内部は円弧状であり、第１または第２内側溝の最大開口直径は、成人、子供、または幼児の頭蓋骨の後頭骨の最小直径よりも小さい。後頭骨は、ちょうど第1内側溝または第２内側溝に当接できるようにし、後頭骨のバランスのとれた耐荷重効果を提供することにより、後頭骨が第1内側溝または第２内側溝に均等圧力で接触でき、変位を引き起こすことがない。
【０００６】
後頭骨は人間頭部の頭蓋骨の後ろに位置し、前下部には後頭孔と呼ばれる大きな楕円形の穴があり、頭蓋腔と脊柱管の間の通路である。後頭孔の後縁にある後頭隆起の両側に頚部靭帯および後頭筋が付着し、上線は、僧帽筋および胸鎖乳突筋が付着し、下線は、大小の直筋が付着している。後頭骨と脊椎の仙骨は対称であり、人体のさまざまな器官に対応している。後頭骨が圧迫により変位すると、対応する仙骨および対応する人間の臓器部分に問題が発生し、頻繁な腰痛、不快感、または頻繁な病気を引き起こす。したがって、特に「仙骨バランス療法」が開発されており、特に神経系、筋骨格系、血管系、リンパ系、内分泌系および呼吸器系に関連している。後頭骨と仙骨が圧迫されて異常を起こすと、前述のさまざまな人間のシステムに大きなダメージを与えることは避けられないため、後頭骨は人間の健康において非常に重要な位置を占めす。
【先行技術文献】
【特許文献】
【０００７】
【特許文献１】台湾実用新案登録番号第Ｍ５５１８９１号明細書
【特許文献２】台湾実用新案登録番号第Ｍ４３２３６６号明細書
【特許文献３】台湾特許番号第I４２２３４４号明細書
【考案の概要】
【考案が解決しようとする課題】
【０００８】
前述の先行技術のバランス枕は、後頭骨のバランスのとれた耐荷重効果を効果的に提供することができ、変位することなく後頭骨のストレスのバランスをとることができ、それによりユーザーの健康を確保することができるが、先行技術は、横になっているときのみ、一般の人が使用でき、座っているときは枕を首に乗せて使用することはできない。また、両側の頬と顎関節の圧迫を緩和する効果もない。
【０００９】
また、２０１４年１月１１日に公告されている、台湾特許番号第I４２２３４４号の「クッション構造」は以下の記載が開示されている。
少なくとも２つ以上のクッションを備え、２つ以上のクッションの両端にそれぞれ１つの接続バンドが接続されている。接続ベルトの他端は互いに連結されて調整ベルトを形成し、調整ベルトの各端部には固定部が設けられている。固定部の設置により、調整ベルトは閉鎖ループを形成でき、調整ベルトの長さ調整可能な特性を使用して、ユーザーの頭、背中、腰、または首の支えと当ててとしてのクッションを所望の位置に固定でき、 快適な座りと横たわりを実現する目的を達成する。
【００１０】
しかしながら、前記先行技術のユーザーの頭部（Ａ）と首は、２つの長いクッション（Ｂ）の間に当てている（図１１に示す）。頭部（Ａ）と２つのクッション（Ｂ）が互いに垂直に９０度で接しているので、クッション（Ｂ）は首と頭の輪郭に適合せず、首を支えていないため、使用するには最適ではない。
【課題を解決するための手段】
【００１１】
したがって、現在の首枕は、使用時に上記の欠点を有すると考えられる。
【００１２】
本考案は、それぞれ対向している第１端部と第２端部に分けられた２つの枕本体を設けた頭頚部固定枕を提案する。頚部サポートベルトは、２つの枕本体の対向側の1つの間の位置で接続されている。２つの頭部支持ブロックは、２つの第１端部に接続され、２つの頭部支持ブロックは、対向する二側からそれぞれ対向的に徐々に延びている。
【００１３】
２つの枕本体の内側は、発泡体、空気、綿またはシリコーン充填物で満たされている。
【００１４】
上記の２つの枕本体は、それぞれ、長い円弧状ブロックまたは長い直線ブロックで設けられている。
【００１５】
上記２つの頭部支持ブロックは、それぞれ、円弧凹状ブロックを呈して設けられている。
【００１６】
上記２つの頭部支持ブロックは、２つの枕本体を一体成形して、直接伸ばすことにより作られる。
【００１７】
上記２つの頭部支持ブロックは、発泡体、空気、綿またはシリコーン充填物で満たされている。
【００１８】
滑り止め層がさらに設けられ、滑り止め層は、２つの第１の端部と２つの頭部支持ブロックとの間に結合され、滑り止め係数が高い材料でできている。
【００１９】
前記２つの第２端部間に留め具が接続され、留め具は雄留め具と雌留め具を含み、雄留め具は雌留め具と互いに結び付けられている。
【考案の効果】
【００２０】
上記の技術的特徴は、以下の利点を有する。
【００２１】
１．２つの枕の第１の端部および頭部支持ブロックにより、頭部の形状に適合させることができる。頚部支持ベルトを使用することにより、首にサポートとバランスの効果が発生し、頭の重心を支え、首と頭を直線に保ち、任意に変位することがない。
【００２２】
２．枕本体の第１端部および頭部支持ブロックは、頭部を完全に覆うことができ、ユーザーの頬の両側に当接しない。そのため、筋肉の弛緩のために頭が傾いたり、前傾したりすることはなく、または、首の筋肉、脊椎、および顎関節が圧迫、伸張、不正咬合によって負傷することがなく、リラックスして休む目的を達成できる。
【００２３】
３．頚部支持ベルトと背もたれとの間に隙間が形成され、それにより空気が自然に循環、換気することにより、横になったときに熱くなることを避けることができる。
【００２４】
４．さらに、頭部および頚部は、第１の端部、頭部支持ブロックおよび頚部支持ベルトを介してぶら下げ、大面積の露出隙間を形成し、換気および熱放散により、快適でクールな使用効果を達成する。
【００２５】
５．滑り止め層は滑り係数が高い材料で作られているため、大きな摩擦力を発生させることができ、それにより枕本体が背もたれに対して滑るのを防ぎ、睡眠中により快適で安定する。
【００２６】
６．頚部支持ベルトと頭部支持ブロックの全体構造と組み合わされた枕本体により、ユーザーの頭と首の位置を効果的かつ安定的に固定できるため、ユーザーの頬の位置を覆わないようにすることができる。顎関節炎の発生を防ぎ、ユーザーの健康を確保する。
【図面の簡単な説明】
【００２７】
【図１】本考案の実施形態の立体的な外観図である。
【図２】本考案の実施形態の別の視点の立体的な外観図である。
【図３】本考案の実施形態の正面図である。
【図４】本考案の実施形態の平面図である。
【図５】本考案の実施形態の底面図である。
【図６】本考案の実施形態の使用模式図である。
【図７】本考案の実施形態において、枕本体がユーザーの頭部の後ろに当接して、発生する圧力及び作用力の模式図である。
【図８】本考案の実施形態において、ネックサポートベルトとシートバックの間に形成されるギャップの概略図。
【図９】本考案の実施形態において、シートバックに取り付けられた滑り止め層の概略図である。
【図１０】本考案の別の実施形態において、２つの枕本体はそれぞれ長い直線ブロックを設けている概略図である。
【図１１】周知の従来技術において、ユーザーの頭部と頚部が長いクッションの間に当接している状態を示す概略図である。
【考案を実施するための形態】
【００２８】
上記目的を達成するために、採用された技術的手段およびその効果により、以下の好ましい実施例および添付図面を詳細に説明したい。次に、本考案のその他の効果及び技術特徴についての説明に入る。本技術の熟知者は、以下の説明を読めば本考案の実現が可能となる。
【００２９】
図１および図２を参照すると、本考案は頭頚部固定枕であり、２つの枕本体１と、２つの頭部支持ブロック２と、滑り止め層３とを含む。
【００３０】
２つの枕本体（１）は、発泡体、空気、綿、およびシリコーンなどの弾性フィラーで満たされている。２つの枕本体（１）は、対向して第１端部（１１）と第２端部（１２）とに分けられ、第２端部（１２）はそれぞれ長い弧状ブロックとして構成される。２つの枕本体１のうちの１つの対向面１３位置に、頚部支持ベルト１４が接続されている（図３に示す）。頚部支持ベルト１４と２つの枕本体１の２つの対向面１３の間は部分的に接続され（図４に示す）、一部は分離したままである。また、２つの第２端部１２の間には、
留め具１５、ベルト、または面ファスナー（マジックテープ（登録商標））で接続されている。留め具１５は、オス留め具１５１と雌留め具１５２を含み、オス留め具１５１と雌留め具１５２を互いに締結することができる。
【００３１】
２つの頭部支持ブロック２は、それぞれ、円弧凹状ブロックとして構成され、２つの枕本体１の第１端部１１に結合される。２つの頭部支持ブロック２は、２つの対向面１３からそれぞれ下方に徐々に延びている。２つの頭部支持ブロック２は、２つの枕本体１を一体的に形成して直接延長させることにより作製することができ、または２つの枕本体１とさらに組み合わせることができる。また、２つの頭部支持ブロック２には、発泡体、空気、綿、シリコンなどの弾性フィラーが充填されている。
【００３２】
滑り止め層３は、２つの枕本体１の２つの第１端部１１と２つの頭部支持ブロック２との間に接続される（図３に示す）。滑り止め層３は、高い滑り止め係数を持つ材料で作成できる。滑り止め層３の長さは、頚部支持ベルト１４の長さよりも長いため、２つの第１端部１１の間を適当に大きく広げることができるので、さまざまなヘッドサイズで使用されうる。
【００３３】
使用中、図６および図７に示されるように、２つの枕本体１の２つの第１端部１１は、ユーザーの頭部（Ａ）の後ろに当接することができる。次に、ユーザーの頚部（Ａ１）を頚部支持ベルト１４に当接し、２つの枕本体1を背もたれ（Ｃ）に置く。２つの第１端部１１は、頭部（Ａ）が当接するときに下向きの圧力（Ｐ）を受けるため、２つの第２端部１２は自然に上方に持ち上げて湾曲した形状を形成し、ユーザーの肩にフィットする。並びに２つの枕本体１の２つの第1端部１１と２つの頭部支持ブロック２を使用して、頭部（Ａ）の形状に合わせることができる。そして、２つの第２端部１２は、それぞれ長い円弧状のブロックとして設置されているため、ユーザーの首の形状に適合することができる。雄留め具１５１と雌留め具１５２は互いに固定されているため、２つの第２端部１２はユーザーの首にしっかりと取り付けられる。再び頚部支持ベルト１４を用い、ユーザーの頚部（Ａ１）にバランスのとれた作用力（Ｐ１）が発生し、頭部（Ａ）の重量は２つの枕本体1を介して、背もたれ（Ｃ）に吸収される。そして、ユーザーの頭部（Ａ）及び頚部（Ａ１）が頚部支持ベルト１４の下向きの圧力（Ｐ）を使用して、２つの枕本体1が弾性変形により自身が元の状態に戻る反力を介して、ユーザーの頚部（Ａ１）と後頭部の骨を支える。２つの枕本体1の２つの第1端部１１と２つの頭部支持ブロック２は、頭部（Ａ）の重心を支えるために使用でき、頭部（Ａ）と頚部（Ａ1）を一直線に保ち、任意に変位することができない。さらに、頭部（Ａ）を完全に覆うことができ、２つの枕本体1はユーザーの頬の両側を覆うことはできない。したがって、筋肉弛緩のために頭（Ａ）が斜めになったり、前方に傾いたり、頚部（Ａ1）の筋肉、脊椎、および顎関節が圧迫、伸張、不正咬合によって損傷することがなく、正常にリラックスして休む目的を達することができる。
【００３４】
図８に示すように、２つの枕本体１が背もたれ（Ｃ）に当接すると、２つの第２端部１２は湾曲した形状を形成し、ユーザーの肩の位置にフィットする。同時に、頚部支持ベルト１４と背もたれ（Ｃ）の間に隙間（Ｃ１）が形成され、隙間（Ｃ１）を使用して自然な空気循環と換気を可能にして、２つの枕本体１の使用により、横になっているときに暑すぎることを回避できる。さらに、２つの第1端部１１、２つの頭部支持ブロック２、および頚部支持ベルト１４は、ユーザーの頭部（Ａ）と頚部（Ａ１）を支持でき、そのため、頭部（Ａ）、頚部（Ａ１）、および背もたれ（Ｃ）は互いに吊り下げられて大面積の露出空間を形成する。これは、熱の換気と放散にも役立ち、快適で涼しい効果を実現できる。特に、２つの枕本体１が、ユーザーの両側の頬に当接しないため、顔のメイクアップを損なうことはなく、外観はそのまま維持することができる。
【００３５】
図９に示すように、２つの枕本体１の２つの第１端部１１と２つの頭部支持ブロック２との間の滑り止め層３が背もたれ（Ｃ）に貼り合わせられると、滑り止め層３は、高い滑り係数を持つ材料で作られているため、大きな摩擦力を発生させることができ、２つの枕本体1が背もたれ（Ｃ）に対してスライドするのを防ぎ、より快適で安定して、揺れにくい。
【００３６】
一般的な原因による顎関節炎には２つのタイプがある。
【００３７】
１．筋肉に由来する：症状の大部分は歯の咬合不良に起因し、一部は夜の歯ぎしり、常に歯を食いしばって、または心理的圧力に起因し、関節周囲の筋肉痙攣をもたらす。もし長期的に不適切な枕具を選択して、睡眠で使用すると、顎関節炎になる可能性がある。
【００３８】
２．関節症に由来する：関節自体からの変性、炎症、腫瘍または自己免疫疾患に由來し、比較的まれである。顎関節の外嚢と筋肉の痛みを伴う神経支配は耳のそれと同じく、第５番目の脳神経である三叉神経からくる。さらに、顎関節は耳のすぐ前にあるため、顎関節が痛いとき、脳は三叉神経も支配している近くの耳も痛みがあると思うので、患者は耳の痛みを感じる（関連痛、referred pain）。疫学では、成人の７５％が検査時に顎関節異常の症状を少なくとも1つ持っているが、治療を必要とする患者は５％のみである。男性と女性の比率は１：４で、女性が多く、２０〜４０歳の年齢層が最も多くなっている。
【００３９】
したがって、本考案は、２つの枕本体１が頚部支持ベルト１４、および２つの頭部支持ブロック２と組み合わされた全体構造を使用して、ユーザーの頭部（Ａ）と頚部（Ａ１）の位置を効果的かつ安定的に固定できる。また、ユーザーの頬を覆わないようにして、顎関節炎の発生を効果的に防ぎ、健康を確保することができる。
【００４０】
頬を支えるためにユーザーの顎に力が加えられると、上部頚椎は非常に強い圧力を感じる。首の筋肉は弛緩せず、逆に強く収縮する。したがって、頬の支えは筋肉を弛緩させることはできない。逆により多くの筋肉の収縮を引き起こすと同時に、頬の支えを強化し、首の筋肉の収縮も増加し、圧力が増加することがわかる。したがって、不適切な首枕を使用して顎を支えると、頭部の重量が枕に完全にかからず、実際には、顎に反力がかかり、頭部が両側に転向する傾向が起こる。両側に転向する傾向に抵抗し、頭を中立位置に維持するには、首の筋肉がこの反力と抵抗する必要がある。したがって、この姿勢で体重全体が支えられている場合、首の筋肉は完全に抵抗しなければならない。これは、身体の不適切な使用により、筋肉の硬直症状を引き起こす。
【００４１】
したがって、２つの枕本体１の第１端部１１および頭部支持ブロック２を介して、ユーザーの頭部（Ａ）の形状に適合させることができる頚部支持ベルト１４を使用することで、頚部（Ａ１）に支持およびバランス効果を生成でき、反力に対抗して、頭部（Ａ）の重心を支えるために、頚部（Ａ１）と頭部（Ａ）を任意に変位せずに直線に保つことができる。
【００４２】
本考案の別の実施形態では、図１０に示すように、２つの枕本体４の２つの第２端部４２は、それぞれ長い直線ブロックとして設けられる。２つの枕４と頭部支持ブロック２を使用して、頬の両側を覆わずにユーザーの頭部を完全に覆うことで、顎関節炎の発生を回避することができ、リラックスして休む効果を達成できる。
【００４３】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００４４】
１    枕本体
１１  第１端部
１２  第２端部
１３  対向面
１４  頚部支持ベルト
１５  留め具
１５１雄留め具
１５２雌留め具
２    頭部支持ブロック
３    滑り止め層
４    枕本体
４２  第２端部
Ａ    頭部
Ａ１  頚部
Ｂ    クッション
Ｃ    背もたれ
Ｃ１  隙間
Ｐ    圧力
Ｐ１  作用力
【図１】
0003225515.tif 000003
【図２】
0003225515.tif 000004
【図３】
0003225515.tif 000005
【図４】
0003225515.tif 000006
【図５】
0003225515.tif 000007
【図６】
0003225515.tif 000008
【図７】
0003225515.tif 000009
【図８】
0003225515.tif 000010
【図９】
0003225515.tif 000011
【図１０】
0003225515.tif 000012
【図１１】
0003225515.tif 000013